【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
綴じられた冊子を排出する冊子排出装置であって、
前記冊子を搬送する搬送手段と、
前記搬送手段によって搬送される前記冊子を、背が先頭となるように案内する案内手段と、
前記案内手段に案内される前記冊子を受ける受け手段と、
前記冊子を前記冊子排出装置の外部へ排出する排出手段と、
を有し、
前記受け手段は、前記背が当接する当接部と、前記当接部と一体的に構成され前記冊子の第１面を押す押し部と、を含み、
前記受け手段は、第１の位置と第２の位置との間で回転可能であり、前記第１の位置で前記当接部と前記背とが当接して前記冊子を受け、前記第１の位置から前記第２の位置へ回転することにより、前記押し部が前記冊子の前記第１面を押し、前記冊子の前記第１面と反対側の第２面を、前記排出手段に載せることを特徴とする冊子排出装置。
【請求項２】
前記受け手段が前記第１の位置から前記第２の位置へ回転するときの回転中心線の方向は、前記当接部の長手方向と実質的に平行であることを特徴とする請求項１に記載の冊子排出装置。
【請求項３】
前記受け手段は、前記第１の位置にあるときに前記冊子を受ける受け入れ口を有し、
前記受け手段が前記第１の位置から前記第２の位置へ回転するときに、前記受け入れ口は前記排出手段に近づくことを特徴とする請求項１又は２に記載の冊子排出装置。
【請求項４】
前記受け手段が前記第１の位置から前記第２の位置へ回転する間、前記冊子を上方から見た場合の前記冊子の移動方向は、前記排出手段によって排出される前記冊子の移動方向と交差することを特徴とする請求項１乃至３のいずれか一項に記載の冊子排出装置。
【請求項５】
前記受け手段は、前記第１の位置にあるときに前記冊子の前記第２面の移動を規制する規制部を有し、
前記規制部は、前記押し部と対向し、前記当接部と一体的に形成されることを特徴とする請求項１乃至４のいずれか一項に記載の冊子排出装置。
【請求項６】
前記受け手段は、前記当接部としての第１平面と、前記押し部としての第２平面と、前記規制部としての第３平面と、で構成され、
前記第２平面と前記第３平面は、前記第１平面と隣接するとともに、互いに対向していることを特徴とする請求項５に記載の冊子排出装置。
【請求項７】
前記排出手段は、前記冊子を前記冊子排出装置の外部に排出する無端ベルトを有していることを特徴とする請求項１乃至６のいずれか一項に記載の冊子排出装置。
【請求項８】
前記無端ベルトは、水平方向に対して傾斜した傾斜面を有し、
前記傾斜面は、第１の部分と、前記第１の部分よりも低い位置にある第２の部分と、を含み、
前記水平方向において、前記第２の部分は、前記第１の部分よりも前記受け手段に近いことを特徴とする請求項７に記載の冊子排出装置。
【請求項９】
前記排出手段は、前記受け手段が前記排出手段に前記冊子を乗せた後に前記冊子の排出動作を行うことを特徴とする請求項１乃至８のいずれか一項に記載の冊子排出装置。
【請求項１０】
前記冊子の前記第１面を押す押し手段を更に有し、
前記押し手段が前記第１面を押す位置は、前記押し部が前記第１面を押す位置よりも前記冊子の移動方向において上流側であることを特徴とする請求項１乃至９のいずれか一項に記載の冊子排出装置。
【請求項１１】
前記押し手段は、前記受け手段が回転を開始した後に動作を開始することを特徴とする請求項１０に記載の冊子排出装置。
【請求項１２】
前記冊子の剛性に応じて、前記押し手段が動作を開始するタイミングが制御されることを特徴とする請求項１０又は１１に記載の冊子排出装置。
【請求項１３】
前記冊子のサイズと、前記冊子のシートの坪量と、前記冊子のシートの枚数と、のうち少なくとも１つに関する情報を取得する取得手段を更に有し、
前記取得手段によって取得された前記情報に基づいて前記押し手段が動作を開始するタイミングが制御されることを特徴とする請求項１０乃至１２のいずれか一項に記載の冊子排出装置。
【請求項１４】
シート束を綴じて前記冊子にする綴じ手段と、
請求項１乃至１３のいずれか一項に記載の冊子排出装置と、
を備えることを特徴とする製本装置。
【請求項１５】
シート束を綴じて前記冊子にする綴じ手段と、
前記冊子のサイズと、前記冊子のシートの坪量と、前記冊子のシートの枚数と、のうち少なくとも１つに関する情報を取得する取得手段と、
請求項１乃至１２のいずれか一項に記載の冊子排出装置と、
前記取得手段によって取得された前記情報に基づいて前記冊子排出装置を制御する制御手段と、
を有することを特徴とする製本装置。
【手続補正２】
【補正対象書類名】明細書
【補正対象項目名】発明の名称
【補正方法】変更
【補正の内容】
【発明の名称】冊子排出装置と製本装置
【手続補正３】
【補正対象書類名】明細書
【補正対象項目名】０００１
【補正方法】変更
【補正の内容】
【０００１】
本発明は、冊子を排出する冊子排出装置と、これを備えた製本装置とに関する。
【手続補正４】
【補正対象書類名】明細書
【補正対象項目名】０００５
【補正方法】変更
【補正の内容】
【０００５】
本発明は、製本動作を停止することなく冊子を機外へ排出できる冊子排出装置および製本装置を提供することにある。
【手続補正５】
【補正対象書類名】明細書
【補正対象項目名】０００６
【補正方法】変更
【補正の内容】
【０００６】
本発明は、綴じられた冊子を排出する冊子排出装置であって、前記冊子を搬送する搬送手段と、前記搬送手段によって搬送される前記冊子を、背が先頭となるように案内する案内手段と、前記案内手段に案内される前記冊子を受ける受け手段と、前記冊子を前記冊子排出装置の外部へ排出する排出手段と、を有し、前記受け手段は、前記背が当接する当接部と、前記当接部と一体的に構成され前記冊子の第１面を押す押し部と、を含み、前記受け手段は、第１の位置と第２の位置との間で回転可能であり、前記第１の位置で前記当接部と前記背とが当接して前記冊子を受け、前記第１の位置から前記第２の位置へ回転することにより、前記押し部が前記冊子の前記第１面を押し、前記冊子の前記第１面と反対側の第２面を、前記排出手段に載せることを特徴とする。
【手続補正６】
【補正対象書類名】明細書
【補正対象項目名】０００７
【補正方法】変更
【補正の内容】
【０００７】
本発明によれば、製本動作を停止することなく冊子を機外へ排出できる。
【手続補正７】
【補正対象書類名】明細書
【補正対象項目名】０００９
【補正方法】変更
【補正の内容】
【０００９】
以下、本発明の実施形態の冊子排出装置を有する製本装置を備えた画像形成システムを図に基づいて説明する。なお、実施の形態における数値は、参考数値であり、本発明を限定する数値ではない。
【手続補正８】
【補正対象書類名】明細書
【補正対象項目名】００２７
【補正方法】変更
【補正の内容】
【００２７】
（表紙綴じ部６０）
図４は、表紙綴じ部６０と、束姿勢偏向部６４と、断裁部６５と、シート束排出装置（冊子排出装置）Ｋとの図である。製本経路３３の表紙綴じ位置Ｆには、表紙綴じ部６０が配設されている。綴じ手段としての表紙綴じ部６０は、背当てプレート６１と、背折りプレート６２と、折りローラ対６３となどで構成されている。表紙綴じ位置Ｆには、表紙搬送経路３４が配置されており、画像形成装置Ａ又はインサータ装置２６から表紙が給送されてくる。背当てプレート６１は、表紙をバックアップする板状部材で構成され、製本経路３３に進退自在に配置されている。背当てプレート６１に支持された表紙Ｐ２に表装される中シート束Ｐ１が逆Ｔ字状に接合される。背折りプレート６２は、左右１対のプレス部材で構成され、逆Ｔ字状に接合された表紙の背部を背折り成型するため、図示しない駆動部によって互いに接近離間する。背折りプレート６２は、互いに接近して表紙Ｐ２の背部を背折り成型をする。折りローラ対６３は、表紙Ｐ２を背折り成型されて形成された表紙付きシート束Ｐ３を挟圧して表装仕上げをする。